(57)【要約】【課題】表示装置において、複数種類（大きさ）の電池を確実に保持可能とする。【解決手段】表示装置は、本体１１、発光面を有する表示部、表示部の発光面を照らす光源部を備える。本体１１は、光源部を点灯させる点灯装置１６を内蔵する。本体１１の内側に設けられた電池収納部１４には、点灯装置１６に給電するための配線２１ａ及びコネクタ２１ｂを有する電池２１が収納される。本体１１の内側に設けられた配線固定部２４は、電池２１が電池収納部１４から外れないように電池２１の配線２１ａを固定する。【選択図】図４
2014107097.tif 000002
【特許請求の範囲】
【請求項１】
発光面を有する表示部と、
前記表示部の発光面を照らす光源部と、
前記光源部を点灯させる点灯装置と、
前記点灯装置に給電するための配線及びコネクタを有する電池と、
前記電池を収納する収納部と、前記電池が前記収納部から外れないように前記電池の配線及びコネクタのうち少なくともいずれかを固定する固定部とが内側に設けられた本体と
を備えることを特徴とする表示装置。
【請求項２】
前記固定部は、前記電池の配線及びコネクタのうち少なくとも配線を固定し、前記電池の配線の太さとして、２種類以上の配線の太さに対応することを特徴とする請求項１の表示装置。
【請求項３】
前記固定部は、前記２種類以上の配線の太さのそれぞれに対応する間隔が空けられた複数のリブで構成されることを特徴とする請求項２の表示装置。
【請求項４】
前記固定部は、前記２種類以上の配線の太さのそれぞれに対応する段差が設けられた複数のリブで構成されることを特徴とする請求項２の表示装置。
【請求項５】
前記収納部は、前記電池が載置される底面部を有し、
前記固定部は、前記収納部の前記電池が収納される位置に対して前記収納部の底面部と反対側に設けられることを特徴とする請求項１から４のいずれかの表示装置。
【請求項６】
前記表示部の発光面に文字及び図柄のうち少なくともいずれかが表示される誘導灯であることを特徴とする請求項１から５のいずれかの表示装置。
【発明の詳細な説明】
【技術分野】
【０００１】
本発明は、表示装置に関するものである。本発明は、特に、誘導灯に関するものである。
【背景技術】
【０００２】
外形（容量）の異なる電池を収納可能なように、電池の収納箇所が電池の最大の外形に対応した誘導灯がある（例えば、特許文献１参照）。
【０００３】
また、外形（容量）の異なる電池を共通のケースに収納することができる電池ホルダがある（例えば、特許文献２参照）。
【先行技術文献】
【特許文献】
【０００４】
【特許文献１】特開２００５−２６０１５号公報
【特許文献２】特開２００３−２１７５３７号公報
【発明の概要】
【発明が解決しようとする課題】
【０００５】
特許文献１の誘導灯においては外形（容量）の異なる電池に対し、最大の外形に対応する収納部を設けて電池を収納していたため、最大の外形をもつ電池以外の電池を収納する場合、電池が収納部から外れやすいという課題があった。
【０００６】
また、特許文献２においては異なる外形（容量）の電池に対し、共用のケースに収納する構成であるが、ケースの深さ方向の寸法が異なる電池しか対応できないという課題があった。
【０００７】
本発明は、例えば、表示装置において、複数種類（大きさ）の電池を確実に保持可能とすることを目的とする。
【課題を解決するための手段】
【０００８】
本発明の一の態様に係る表示装置は、
発光面を有する表示部と、
前記表示部の発光面を照らす光源部と、
前記光源部を点灯させる点灯装置と、
前記点灯装置に給電するための配線及びコネクタを有する電池と、
前記電池を収納する収納部と、前記電池が前記収納部から外れないように前記電池の配線及びコネクタのうち少なくともいずれかを固定する固定部とが内側に設けられた本体とを備える。
【発明の効果】
【０００９】
本発明の一の態様によれば、表示装置において、本体の内側に設けられた固定部が、電池が収納部から外れないように電池の配線及びコネクタのうち少なくともいずれかを固定するため、複数種類（大きさ）の電池を確実に保持することが可能となる。
【図面の簡単な説明】
【００１０】
【図１】実施の形態１に係る表示装置の斜視図。
【図２】実施の形態１に係る表示装置の表示部及び光源部を取り外した状態の斜視図。
【図３】実施の形態１に係る表示装置の正面図、上面図、側面図及び下面図。
【図４】実施の形態１に係る表示装置の表示部及び光源部を取り外した状態の正面図、上面図及び側面図。
【図５】実施の形態１に係る表示装置の電池収納部がある部分の斜視図。
【図６】実施の形態１に係る表示装置の電池収納部がある部分の正面図。
【図７】実施の形態１に係る表示装置の電池収納部がある部分の断面図。
【図８】実施の形態１に係る表示装置の表示部の斜視図。
【図９】実施の形態１に係る表示装置の表示部及び光源部の取付手順を示す側面図。
【発明を実施するための形態】
【００１１】
以下、本発明の実施の形態について、図を用いて説明する。なお、各実施の形態の説明において、「上」、「下」、「左」、「右」、「前」、「後」、「表」、「裏」といった方向は、説明の便宜上、そのように記しているだけであって、装置、器具、部品等の配置や向き等を限定するものではない。
【００１２】
実施の形態１．
図１は、本実施の形態に係る表示装置１０の斜視図である。
【００１３】
図１に示すように、表示装置１０は、本体１１、発光面を有する表示部２９、表示部２９の発光面を照らす光源部２８を備えている。
【００１４】
図２は、表示装置１０の表示部２９及び光源部２８を取り外した状態の斜視図である。
【００１５】
図２に示すように、表示装置１０の本体１１は、補強金具１２、電源端子台１３、操作部１５、光源部２８を点灯させる点灯装置１６を内蔵している。本体１１には、電池収納部１４、配線固定部２４、背面側取付穴１７、背面側電源穴１８、上面側取付穴１９、上面側電源穴２０が形成されている。
【００１６】
図３は、表示装置１０の正面図、上面図、側面図及び下面図である。
【００１７】
図３に示すように、本体１１の内側に配設された操作部１５は、モニタ３０、点検スイッチ３１、受光部３２を有している。操作部１５のモニタ３０、点検スイッチ３１、受光部３２が外側から臨めるように、本体１１の底面の一部は開口されている。
【００１８】
図４は、表示装置１０の表示部２９及び光源部２８を取り外した状態の正面図、上面図及び側面図である。図５は、表示装置１０の電池収納部１４がある部分の斜視図である。
【００１９】
図４に示すように、点灯装置１６は、電池接続用コネクタ２２、光源接続用コネクタ２３を有している。
【００２０】
本体１１の内側に設けられた電池収納部１４には、点灯装置１６に給電するための配線２１ａ及びコネクタ２１ｂを有する電池２１が収納されている。電池収納部１４は、電池２１を収納する収納部の例である。
【００２１】
本体１１の内側に設けられた配線固定部２４は、電池２１の配線２１ａを固定している。配線固定部２４は、電池２１が電池収納部１４から外れないように電池２１の配線２１ａ及びコネクタ２１ｂのうち少なくともいずれかを固定する固定部の例である。
【００２２】
図４及び図５に示すように、電池収納部１４は、電池おさえ（左）２５、電池おさえ（右）２６、電池収納部底面部２７を有している。電池収納部底面部２７は、電池２１が載置される底面部の例である。
【００２３】
なお、表示装置１０は、上記のような構成に限るものではなく、必要に応じて種々の変更が可能であるが、少なくとも配線固定部２４（固定部）を備えることで、複数種類（大きさ）の電池を確実に保持可能となるものである。
【００２４】
以下では、図１〜図５に示した表示装置１０の各部について説明する。
【００２５】
本体１１は、ＰＣ、ＡＢＳ、ＡＥＳ、又は、それらのアロイ材等の合成樹脂製である。補強金具１２は、合成樹脂である本体１１が取付面（天井面又は壁面）に取り付けられる際の補強となる。
【００２６】
表示装置１０は、本体１１に設けられた背面側取付穴１７を利用して壁面に取り付けることができる。表示装置１０を壁面に取り付けた場合、本体１１に設けられた背面側電源穴１８から本体１１内に電線を引き込むことができる。また、表示装置１０は、本体１１に設けられた上面側取付穴１９を利用して天井面に取り付けることもできる。表示装置１０を天井面に取り付けた場合、本体１１に設けられた上面側電源穴２０から本体１１内に電線を引き込むことができる。
【００２７】
外部の商用電源に接続された電源線（図示していない）は、背面側電源穴１８もしくは上面側電源穴２０を介して本体１１内に引き込まれ、電源端子台１３に接続される。電源端子台１３は、電線（図示していない）により点灯装置１６に接続され、点灯装置１６に電力を供給する。
【００２８】
点灯装置１６は、通常時は外部の商用電源から供給される電力により、光源接続用コネクタ２３を介して点灯装置１６に接続される光源部２８の光源（例えば、ＬＥＤ、有機ＥＬ、放電灯）を点灯させる。また同時に、点灯装置１６は、外部の商用電源から供給される電力により、電池接続用コネクタ２２を介して点灯装置１６に接続される電池２１を充電する。
【００２９】
点灯装置１６は、停電時は電池２１から供給される電力によって光源部２８の光源を点灯させる。
【００３０】
操作部１５の点検スイッチ３１が操作されると、点灯装置１６が電池２１の状態を点検し、その結果を操作部１５のモニタ３０に表示する。また、点検スイッチ３１の操作の代わりとして、リモコンによる操作によっても点検が可能となっており、その場合はリモコンによる点検開始信号を操作部１５の受光部３２によって受信し、点灯装置１６に点検開始信号を送ることで、点検を開始することができる。
【００３１】
また、操作部１５のモニタ３０は、点灯装置１６によって判定される電池２１の充電状況、光源部２８の状態、点検動作状態等を表示する。
【００３２】
電池２１は、要求される停電時の点灯維持時間によって外形（容量）が変わる。消防法で規定される誘導灯においては２０分間及び６０分間の２種類がある。
【００３３】
電池２１は、電池収納部１４の電池収納部底面部２７に自重により接触するように電池収納部１４の上側から挿入される。電池２１は、電池収納部１４の電池おさえ（左）２５及び電池おさえ（右）２６により前後方向の動きが規制される。しかし、電池２１は、そのままでは電池収納部底面部２７と逆側（上側）に移動可能であり、取り外すことができる状態である。
【００３４】
表示装置１０を天井面又は壁面に取り付けた状態においては、上記の状態で電池２１が落下するおそれはないが、表示装置１０の輸送中や、表示装置１０に振動が加わった場合においては電池２１が電池収納部１４から外れる可能性がある。そこで、本実施の形態では、電池２１が有している配線２１ａを本体１１に形成されている配線固定部２４に挿入することで、電池２１の移動を抑制する。
【００３５】
図６は、表示装置１０の電池収納部１４がある部分の正面図である。
【００３６】
図６に示すように、配線固定部２４は、複数のリブで構成されており、リブ間の寸法が複数種類（例えば、図６のａ、ｂ）設定されている。これにより、対応する電池２１の配線径が異なる場合においても選択的に配線固定部２４のリブを使用する（即ち、互いの間隔が電池２１の配線２１ａの太さに対応する長さとなっている、隣接するリブの組み合わせを選択して使用する）ことが可能となり、複数種類の電池２１に対応することが可能となる。
【００３７】
本実施の形態では、リブ間の寸法を複数設けることで複数の配線径に対応しているが、例えば、リブに段差を設ける（即ち、隣接するリブ同士の間隔が段ごとに異なるようにする）ことで複数の配線径に対応してもよい。あるいは、例えば、リブの間隔を段階的あるいは連続的に調整する機構を付加する（即ち、隣接するリブの少なくとも一方をスライド等させて位置を調整する機構を設ける）ことで複数の配線径に対応してもよい。
【００３８】
リブ間の寸法（例えば、図６のａ、ｂ）は、電池２１の配線２１ａの外径に対し、配線２１ａの断線や変形が生じない程度で電池２１の移動を規制するよう若干小さく（狭く）することが望ましい。
【００３９】
上記のように、本実施の形態において、配線固定部２４は、電池２１の配線２１ａ及びコネクタ２１ｂのうち少なくとも配線２１ａを固定し、電池２１の配線２１ａの太さとして、２種類以上の配線の太さに対応する。１つの例において、配線固定部２４は、２種類以上の配線の太さのそれぞれに対応する間隔が空けられた複数のリブで構成される。１つの変形例において、配線固定部２４は、２種類以上の配線の太さのそれぞれに対応する段差が設けられた複数のリブで構成される。別の変形例において、配線固定部２４は、互いの間隔が段階的あるいは連続的に（例えば、スライド機構によって）調整可能な複数のリブで構成される。
【００４０】
本実施の形態によれば、上記のような構成の配線固定部２４を表示装置１０の本体１１に設けたことで、配線の太さを異にする様々な種類の電池を本体１１内で電池収納部１４から外れないように固定することができる。
【００４１】
図７は、表示装置１０の電池収納部１４がある部分（側方からみた状態）の断面図である。
【００４２】
電池収納部１４は、複数種類の外形の電池２１に対応することが可能である。例えば、電池２１に対し、容量の大きい電池２１ｃを収納することができる。
【００４３】
容量の大きい電池２１ｃを取り付けた場合においても配線固定部２４を使用することが可能であり、電池２１を取り付けた場合と同じように電池２１ｃを固定することが可能となる。このように、配線固定部２４、電池おさえ（左）２５、電池おさえ（右）２６、電池収納部底面部２７の形成される位置を、電池２１だけでなく、容量の大きい電池２１ｃも固定可能な位置とすることで、様々な外形の電池に対応することが可能となる。
【００４４】
配線固定部２４は、電池収納部１４の上方に形成されることが望ましい。電池２１の自重は電池収納部底面部２７によって支えられている。そのため、配線固定部２４が電池収納部１４の上方にあることにより、電池２１の配線２１ａ及び電池２１から配線２１ａが引き出される部分（配線接続部）に応力がかかることを防止することができる。
【００４５】
上記のように、本実施の形態において、配線固定部２４は、電池収納部１４の電池２１が収納される位置に対して電池収納部１４の電池収納部底面部２７と反対側に設けられる。
【００４６】
本実施の形態によれば、配線固定部２４を上記のような位置に設けたことで、大きさを異にする様々な種類の電池を本体１１内で電池収納部１４から外れないように固定することができる。
【００４７】
本実施の形態では、配線固定部２４にて配線２１ａを固定することとしたが、例えばコネクタ２１ｂを本体１１に形成した固定部によって固定することによっても同様の効果が得られる。
【００４８】
上記のような構成を採用することにより、簡単な構成で本体１１に容易に電池が収納でき、複数種類（大きさ）の電池に対応可能であり、かつ、確実に電池を保持可能な（振動等が加わった場合においても電池が脱落しない）表示装置１０を提供することが可能となる。
【００４９】
図８は、表示装置１０の表示部２９の斜視図である。
【００５０】
図８に示すように、表示部２９は、導光体３３、表示板３４、表示板ケース３５を備えている。
【００５１】
導光体３３が光源部２８の光源によって照射されることにより、表示板３４が発光する。導光体３３と表示板３４は、表示板ケース３５に収納される。表示板ケース３５において、左右両端部の上端と中央との間（例えば、中間付近）には表示部側本体取付部（上側）３６が形成され、左右両端部の下端付近には表示部側本体取付部（下側）３７が形成されている。
【００５２】
図９は、表示装置１０の表示部２９及び光源部２８の取付手順を示す側面図である。
【００５３】
図９に示すように、表示装置１０において、表示部２９は、前から後方向への移動（図９の（１））の後、上から下方向への移動（図９の（２））によって本体１１に取り付けられる。表示部２９を移動させることで、表示部２９の表示板ケース３５に形成された表示部側本体取付部（上側）３６及び表示部側本体取付部（下側）３７が、それぞれ対応する本体１１の本体側表示部取付部（上側）３８及び本体側表示部取付部（下側）３９に嵌合し、表示部２９の前後方向の移動を規制する状態となる。本体１１に表示部２９が取り付けられた状態において、光源部２８は、前から後方向への移動（図９の（３））によって本体１１の上部に取り付けられる。この状態において、光源部２８の上部は、本体１１の光源部移動抑止部４０に当接する。これにより、表示部２９の上下方向の移動が規制され、光源部２８及び表示部２９が本体１１に固定される。
【００５４】
以上、本発明の実施の形態について説明したが、本発明は、この実施の形態に限定されるものではなく、必要に応じて種々の変更が可能である。実施の形態１に係る表示装置１０は、表示部２９の発光面に消防法に規定の図柄が表示される誘導灯であるが、発光面に他の図柄、文字、あるいは、文字及び図柄が表示される誘導灯又はその他の表示装置であってもよい。
【符号の説明】
【００５５】
１０  表示装置、１１  本体、１２  補強金具、１３  電源端子台、１４  電池収納部、１５  操作部、１６  点灯装置、１７  背面側取付穴、１８  背面側電源穴、１９  上面側取付穴、２０  上面側電源穴、２１  電池、２１ａ  配線、２１ｂ  コネクタ、２１ｃ  電池、２２  電池接続用コネクタ、２３  光源接続用コネクタ、２４  配線固定部、２５  電池おさえ（左）、２６  電池おさえ（右）、２７  電池収納部底面部、２８  光源部、２９  表示部、３０  モニタ、３１  点検スイッチ、３２  受光部、３３  導光体、３４  表示板、３５  表示板ケース、３６  表示部側本体取付部（上側）、３７  表示部側本体取付部（下側）、３８  本体側表示部取付部（上側）、３９  本体側表示部取付部（下側）、４０  光源部移動抑止部。
【図１】
2014107097.tif 000003
【図２】
2014107097.tif 000004
【図３】
2014107097.tif 000005
【図４】
2014107097.tif 000006
【図５】
2014107097.tif 000007
【図６】
2014107097.tif 000008
【図７】
2014107097.tif 000009
【図８】
2014107097.tif 000010
【図９】
2014107097.tif 000011